(57)【要約】【課題】要求される機能や強度を確保しつつ、生産性にも優れた包装箱を提供する。【解決手段】包装箱は、直方体状の筒体を構成する４つの側面板（第１側面板、正面板、第２側面板、及び背面板）と、２つの端面板（第１端面板（天面板）及び第２端面板（底面板））とを備える。包装箱は、正面板に延設されるフラップ、第１端面板に延設される差込部、正面板に、フラップに連続して正面板から切離可能に形成される押込部、を含み、第１端面板の上にフラップが重ねられ、差込部は第１端面板の裏面側に折り畳まれ、第１端面板の裏面の一部領域と接着剤により接着され、一部領域の周縁の少なくとも一部に、一部領域が第１端面板の表面側から押圧されることにより一部領域を第１端面板から切離させる破断線が形成されている。【選択図】図６Ａ
2019011066.tif 000002
【特許請求の範囲】
【請求項１】
筒体を構成する４つの側面板、
前記筒体の一方の端面を塞ぐように前記側面板の一つに延設される第１端面板、
前記一方の端面を塞ぐように、前記第１端面板が延設される前記側面板と対向する前記側面板に延設されるフラップ、
前記筒体の他方の端面を塞ぐように前記側面板の一つに延設される第２端面板、
前記第１端面板に延設される差込部、及び、
前記フラップが延設される前記側面板に、前記フラップに連続し前記側面板から切離可能に形成される押込部、
を含み、
前記フラップ及び前記第１端面板により前記筒体の端面を塞いだ状態において、
前記第１端面板の上に前記フラップが重ねられ、
前記差込部は、前記差込部と前記第１端面板との境界線に沿って折り曲げることにより前記第１端面板の裏面側に折り畳まれ、
前記差込部は、前記第１端面板の裏面の一部領域と接着剤により接着され、
前記一部領域の周縁の少なくとも一部に、前記一部領域が前記第１端面板の表面側から押圧されることにより前記一部領域を前記第１端面板から切離させる破断線が形成されている、
包装箱。
【請求項２】
請求項１に記載の包装箱であって、
前記差込部と前記第１端面板との前記境界線に、切離された前記押込部を差し込み可能な隙間が形成されている、
包装箱。
【請求項３】
請求項２に記載の包装箱であって、
前記フラップは、前記フラップと前記押込部との境界線の近傍に、前記境界線に平行に延出する山折線を有する、
包装箱。
【請求項４】
請求項１乃至３のいずれか一項に記載の包装箱であって、
前記フラップは、前記押込部とともに前記フラップから切離可能に形成された表示片を有する、
包装箱。
【請求項５】
請求項１乃至３のいずれか一項に記載の包装箱であって、
前記第１端面板が延設される前記側面板の左右に連設する２つの前記側面板の夫々から前記一方の端面を塞ぐように延設する２つのフラップと、
前記第２端面板が延設される前記側面板の左右に連設する２つの前記側面板の夫々から前記他方の端面を塞ぐように延設する２つのフラップと、
を備える、包装箱。
【請求項６】
請求項１乃至３のいずれか一項に記載の包装箱であって、
ブランクを組み立てることにより構成され、
前記ブランクは、互いに平行に設けられた折曲線を介して連接された前記４つの側面板と、前記４つの側面板の連接方向の一端に前記折曲線に平行な折曲線を介して延設された接続片とを有し、
前記筒体は、前記ブランクを前記折曲線において折り曲げるとともに前記接続片を前記４つの側面板の連接方向の他端の前記側面板に接着し、前記ブランクを立体的に立ち上げることにより構成される、
包装箱。
【請求項７】
請求項１乃至３のいずれか一項に記載の包装箱であって、
少なくとも何れかの前記側面板の２つの辺の夫々に相当する２つの前記折曲線はいずれも破断線であり、当該側面板は、その裏面側に、前記破断線の夫々に沿って夫々に隣接形成された２つの切込線を有し、前記２つの切込線は、いずれも前記ブランクの厚みの一部を残して切り込まれている包装箱。
【発明の詳細な説明】
【技術分野】
【０００１】
この発明は、医薬品等を収容する包装箱に関する。
【背景技術】
【０００２】
特許文献１には、「特殊な充填機に掛けることなく自動充填を行う事が出来、且つ煩雑な再封作業を伴うことなく何度も蓋の開閉を行うことができる包装用箱」、「側部は、左右側面４，６と前後側面５，３を備え、蓋部は、後側面３の端縁から延出する後封止片２に、前側面５の端縁から延出する前封止片１を貼着してなり、左右側面４，６は、その端縁から延出し開口部に向けて折る左右フラップ１２、１３を備え、前記前側面５は、その上部に前封止片１を分断する開封用破断線８ａを備え、前記後封止片２は、その端縁から延出し裏面側へ折り重なる舌片９を備え、前記舌片９に、後封止片２側の差込部９ａとその先端側の糊代部９ｂを備え、前記糊代部９ｂのみを後封止片２の裏面に貼着する包装用箱」と記載されている。
【０００３】
特許文献２には、「簡単な組立方法で作られ、再封と開封を容易に行うことができ、再封した時は確実に封止される包装用箱」、「側面１６に設けられ上方の開口端部を閉鎖する外側上蓋片４０と、側面１６と平行に位置する側面２０に設けられ、外側上蓋片４０の裏面に重ねられる内側上蓋片５６を備える。内側上蓋片５６は、組立状態で外側上蓋片４０に糊付けされる糊付部６２を有する。糊付部６２は、外側上蓋片４０の端部に対向して設けられ、外側上蓋片４０の端部に向かって開口する形状の切込線６４で囲まれている。内側上蓋片５６が設けられた側面２０には、内側上蓋片５６が設けられた端部を分離する開封用破断線を備える。再封する際に、内側上蓋片５６の切込線６４で糊付部６２と区切られた周囲の部分を外側上蓋片４０から外す。内側上蓋片５６は、切込線６４の開口した部分がヒンジとなって外側上蓋片４０に連結し、再封する差込片となる。」と記載されている。
【０００４】
特許文献３には、「タグを切り離してもその部分が開口せず、必要な時にのみ容易に切り離すことができるタグを一体的に備え、開口部の封鎖強度及び再封鎖の便に優れた包装用箱」、「ブランクシートを直方体状に成形してなる包装用箱であって、筒状に連結した四側面１，２・・・並びに四側面に囲まれた開口部を封じる天部Ａ及び底部と、四側面の一方の端に位置する端側面１の裏側に重なる裏支持片を備え、天部Ａは、四側面の端縁から延出する封止片６で構成され、端側面は、その上端部を下に凸の弓状に分断する開封破断線ｐを備えると共に、開封破断線ｐの下縁線を始端とし、周囲に切込Ｓを備えるタグ部Ｔを備え、裏支持片は、開封破断線ｐより上位、及びタグ部Ｔを除く部位と接着し、裏支持片の上縁部が、開封破断線ｐより上位に重なる包装用箱とそのブランクシート。」と記載されている。
【先行技術文献】
【特許文献】
【０００５】
【特許文献１】特開２０１４−１８９２９６号公報
【特許文献２】特開２０１７−１３８９３号公報
【特許文献２】特開２０１６−２２９７９号公報
【発明の概要】
【発明が解決しようとする課題】
【０００６】
上記のように、特許文献１及び特許文献２には、再封止の便宜を図った差込式の蓋を有する包装用箱が開示されている。
【０００７】
しかし特許文献１では、舌片９に設けられた差込部９ａを抜出用破断線１０を切断させて抜き出す構造であるため、差込部９ａの抜き出しに際し、ユーザは切断に失敗しないように慎重に操作する必要がある。また差込部９ａを抜き出す際に抜出用破断線１０の部分で確実に破断するよう、糊代部９ｂとして広い面積を確保して糊代部９ｂをしっかりと舌片９に貼り付けておく必要があり、包装箱の薄型化が難しい。また再封時に突入部７が自由な状態となるため、蓋部の開け閉めに際して邪魔になり、美観も損なわれる。
【０００８】
特許文献２では、内側上蓋片５６は、差込片５７となった状態で、全切線６５と表半切線６６によって紙面の厚みの途中で剥がされて薄肉になっているため、ヒンジとなる部分を含め、差込片５７としての強度確保が難しい。またユーザは、凹部６０または端部５６ａに指を掛けて内側上蓋片５６を外側上蓋片４０から剥がすため、ユーザが操作し易いように、凹部６０または端部５６ａに十分な面積を確保する必要があり、包装箱の薄型化が難しい。
【０００９】
また特許文献３に記載されているように、医薬品等の薬剤を内包する包装箱（包装用箱）については、例えば、薬局等において包装箱をＰＴＰ（Press Through Package）シートの状態で調剤棚に保管する際、包装箱の特定の部分をタグとして切り取り、当該ＰＴＰシートに輪ゴム等で添付するか、もしくは調剤棚の所定の保管位置に貼り付けて、包装箱から取り出した内容物に関する情報を容易に参照できるようにしており、こうした作業の便宜として、内容物に関する情報を記した容易に取り外し可能なタグを包装箱に設けることについてのニーズが存在する。しかし特許文献１及び特許文献２のいずれにおいても、こうしたタグを設けることについては何ら考慮されていない。
【００１０】
本発明はこのような背景に鑑みてなされたもので、簡素な構造でありながら要求される機能及び強度を満たした包装箱を提供することを目的としている。
【課題を解決するための手段】
【００１１】
上記目的を達成するための本発明の一つは、包装箱であって、筒体を構成する４つの側面板、前記筒体の一方の端面を塞ぐように前記側面板の一つに延設される第１端面板、前記一方の端面を塞ぐように、前記第１端面板が延設される前記側面板と対向する前記側面板に延設されるフラップ、前記筒体の他方の端面を塞ぐように前記側面板の一つに延設される第２端面板、前記第１端面板に延設される差込部、及び、前記フラップが延設される前記側面板に、前記フラップに連続し前記側面板から切離可能に形成される押込部、を含み、前記フラップ及び前記第１端面板により前記筒体の端面を塞いだ状態において、前記第１端面板の上に前記フラップが重ねられ、前記差込部は、前記差込部と前記第１端面板との境界線に沿って折り曲げることにより前記第１端面板の裏面側に折り畳まれ、前記差込部は、前記第１端面板の裏面の一部領域と接着剤により接着され、前記一部領域の周縁の少なくとも一部に、前記一部領域が前記第１端面板の表面側から押圧されることにより前記一部領域を前記第１端面板から切離させる破断線が形成されている。
【００１２】
本発明によれば、ユーザは、押込部を親指等で押し込み、第１端面板を引き上げることで包装箱を容易に開封することができる。また開封操作を行うことで、第１端面板及び当該第１端面板の裏面に折り畳まれている差込部がユーザの目に入るので、ユーザに再封のための差込部の存在を確実に認識させることができる。またユーザは、第１端面板の表面側から一部領域を指で押し込むことにより、容易に差込部を当該差込部と第１端面板との境界線をヒンジとして可動可能な状態にすることができる。また第１端面板の面積を小さくすることで薄型の包装箱を実現することができる。
【００１３】
本発明の他の一つは、上記包装箱であって、前記差込部と前記第１端面板との境界線に、切離された前記押込部を差し込み可能な隙間が形成されている。
【００１４】
ユーザは、押込部を第１端面板と差込部との間の隙間に差し込むだけで、容易に押込部を再封時や再度の開封時の妨げにならない状態にすることができる。
【００１５】
本発明の他の一つは、上記包装箱であって、前記フラップは、前記フラップと前記押込部との境界線の近傍に、前記境界線に平行に延出する山折線を有する。
【００１６】
本発明によれば、押込部を山折線に沿って山折にすることにより、押込部の面が差込部の裏面側に僅かにずれるため、押込部の先端の端辺を第１端面板と差込部との間の上記隙間に容易に位置決めすることができる。そのため、ユーザは押込部を上記隙間に容易に差し込むことができる。
【００１７】
本発明の他の一つは、上記包装箱であって、前記フラップは、前記押込部とともに前記フラップから切離可能に形成された表示片を有する。
【００１８】
本発明によれば、開封後に不要となった包装箱の要素（表示片）を利用して、ユーザにタグとして利用することが可能な表示片を提供することができる。
【００１９】
本発明の他の一つは、上記包装箱であって、前記第１端面板が延設される前記側面板の左右に連設する２つの前記側面板の夫々から前記一方の端面を塞ぐように延設する２つのフラップと、前記第２端面板が延設される前記側面板の左右に連設する２つの前記側面板の夫々から前記他方の端面を塞ぐように延設する２つのフラップと、を備える。
【００２０】
このように、本発明によれば、端面に４枚のフラップを有するとともに再封可能な構造を有する包装箱を実現することができる。
【００２１】
本発明の他の一つは、上記包装箱であって、ブランクを組み立てることにより構成され、前記ブランクは、互いに平行に設けられた折曲線を介して連接された前記４つの側面板と、前記４つの側面板の連接方向の一端に前記折曲線に平行な折曲線を介して延設された接続片とを有し、前記筒体は、前記ブランクを前記折曲線において折り曲げるとともに前記接続片を前記４つの側面板の連接方向の他端の前記側面板に接着し、前記ブランクを立体的に立ち上げることにより構成される。
【００２２】
このように本発明の包装箱は１枚のブランクから効率よく生産することができる。
【００２３】
本発明の他の一つは、上記包装箱であって、少なくとも何れかの前記側面板の２つの辺の夫々に相当する２つの前記折曲線はいずれも破断線であり、当該側面板は、その裏面側に、前記破断線の夫々に沿って夫々に隣接形成された２つの切込線を有し、前記２つの切込線は、いずれも前記ブランクの厚みの一部を残して切り込まれている。
【００２４】
本発明によれば、ユーザは手を痛めることなく容易かつ綺麗に包装箱を解体することができる。
【００２５】
その他、本願が開示する課題、及びその解決方法は、発明を実施するための形態の欄、及び図面により明らかにされる。
【発明の効果】
【００２６】
本発明によれば、簡素な構造でありながら要求される機能及び強度を満たした包装箱を提供することができる。
【図面の簡単な説明】
【００２７】
【図１】包装箱の開封前の状態（封緘状態）を示す斜視図である。
【図２】包装箱の開封後の状態（開封状態）を示す斜視図である。
【図３】ブランクを包装箱の表面側から眺めた図である。
【図４】ブランクを包装箱の裏面側から眺めた図である。
【図５】包装箱の組み立て開始時のブランクを包装箱の裏面側から眺めた図である。
【図６Ａ】包装箱を再封する際の様子を示す斜視図である。
【図６Ｂ】包装箱を再封する際の様子を示す斜視図である。
【図６Ｃ】包装箱を再封する際の様子を示す斜視図である。
【図６Ｄ】包装箱を再封した状態（再封状態）を示す斜視図である。
【図７】包装箱の組み立てから廃棄までの流れを説明するフローチャートである。
【図８】包装箱の解体の様子を示す斜視図である。
【図９】解体後の包装箱を畳んだ状態を示す図である。
【発明を実施するための形態】
【００２８】
以下、本発明の実施の形態につき図面とともに説明する。尚、以下の説明において、同一の又は類似する構成について同一の符号を付して重複した説明を省略することがある。
【００２９】
図１は、本発明の一実施形態として説明する包装箱１０の開封前の状態（封緘（封函）状態）を示す斜視図である。また図２は、包装箱１０の開封後の状態（開封状態）を示す斜視図である。これらの図に示すように、包装箱１０の全体は略直方体状を呈する。
【００３０】
図３は、図１（又は図２）に示した包装箱１０の形成片（以下、「ブランク５」とも称する。）を包装箱１０の表面側から眺めた図であり、図４は、ブランク５を、包装箱１０の裏面側から眺めた図である。ブランク５は、例えば、厚紙や板紙等のブランクシートを打ち抜くことにより形成される。
【００３１】
図３及び図４において、破線は山折線を、一点鎖線は谷折線を、点線は破断線を、実線は切込線を、夫々示す。破断線は、例えば、ミシン目、断続的に形成されたつなぎ部分を有する切込線、ブランク５の厚みの一部を残して切り込んだ切込線（ハーフカット線）等である。破断線や切込線は、山折線又は谷折線として機能することもある。尚、破断線や切込線が山折線又は谷折線として機能する場合、図では兼用される機能のうちのいずれかに相当する線種を選択して描いている。
【００３２】
図３に示すように、ブランク５は、夫々の長尺辺が互いに平行になるように連接された４つの側面板（第１側面板１１、正面板１２、第２側面板１３、及び背面板１４）、上記４つの側面板の連接方向の一端に延設された接続片１７（グルーフラップ）、背面板１４の、上記連接方向に対して直角方向の短尺辺の一方に延設された第１端面板１５（天面板）、及び背面板１４の上記連接方向に対して直角方向の短尺辺の他方に延設された第２端面板１６（底面板）を有する。
【００３３】
包装箱１０が、例えば、医薬品の収納容器として用いられる場合、正面板１２の表面には、例えば、医薬品の名称等の情報が、第１側面板１１並びに第２側面板１３の表面には、例えば、医薬品の名称、種別、特性、成分、効能、用法、用量、有効期限（使用期限）、コード（ＲＳＳコード、ＲＳＳコンポジットコード、ＪＡＮコード等）等の情報が、背面板１４の表面には、例えば、医薬品の名称、内容物に関する情報（錠数、薬包数、製造元、連絡先等）が、第１端面板１５並びに第２端面板１６の表面には、例えば、医薬品の名称等の情報が、夫々、印字もしくは印刷される。尚、例えば、ドラッグストア等の店頭で販売されることを想定し、第１端面板１５並びに第２端面板１６の表面には、医薬品の名称等の宣伝広告に関わる情報が表示されることもある。
【００３４】
第１側面板１１、正面板１２、第２側面板１３、背面板１４、及び接続片１７は、夫々の長尺辺を境界としてこの順に連接されており、これらを折り曲げて組み立てることにより、包装箱１０の内容物が収納される空間を形成する角筒状の筒体が形成される。上記筒体の形成に際し、接続片１７は、その表面側に接着剤（ホットメルト等）が塗布されて第１側面板１１の裏面側に接着される。
【００３５】
正面板１２及び背面板１４は同形状（略長方形状）になっており、これらは前述した筒体の一対の側面を構成する。また第１側面板１１と第２側面板１３は同形状（略長方形状）であり、これらは前述した筒体の一対の側面を構成する。
【００３６】
第１端面板１５及び第２端面板１６は、夫々、４つの側面板で構成される包装箱１０の、前述した筒体の対面する２つの端面を塞ぐように機能する。尚、本例では、正面板１２又は背面板１４の面積が、第１側面板１１又は第２側面板１３の面積よりも広くなっているが、これらの面積比は必ずしも同図に示す態様に限られない。また各側面板の長尺辺と短尺辺との関係（いずれの辺を長尺辺又は短尺辺とするか）についても同図に示す態様に限られない。
【００３７】
同図に示すように、第１側面板１１と正面板１２との境界には山折線３１が、正面板１２と第２側面板１３との境界には山折線３２が、夫々形成されている。また第２側面板１３と背面板１４との境界には破断線４１が、背面板１４と接続片１７との境界には破断線４２が、夫々形成されている。山折線３１、山折線３２、破断線４１、及び破断線４２は、いずれも互いに平行である。破断線４１及び破断線４２は、前述した筒体を立ち上げる際には山折線としても機能する。
【００３８】
破断線４１の強度は破断線４２の強度よりも高く設定されている。これはカートニングマシン（製函機）等を用いて行われる、包装箱１０の製造時の折り曲げ工程（ブランク５を前述した筒体の状態に立ち上げる際にブランク５の折曲線（山折線（折曲線として機能する破断線を含む）、谷折線）に折りグセを付ける工程）において、破断線４１及び破断線４２のつなぎ部分に作用する応力を考慮したものである。即ち、上記工程において、接続片１７については背面板１４に対して９０゜まで折り曲げられるが、背面板１４については第２側面板１３に対して１８０゜まで折り曲げられ、上記工程において破断線４１が折り曲げられる角度は破断線４２に比べて大きく、破断線４１の方が破断線４２よりも高い強度を要求されるからである。尚、破断線４１及び破断線４２がいずれもミシン目である場合、上記強度は、例えば、つなぎ部分の全体の長さとそれ以外の部分（切り込まれた部分）の長さとの比を変えることにより調節することができる。上記工程における折り曲げ角（９０゜、１８０゜）は一例であり、折り曲げ角は、包装箱１０の生産効率向上等の観点から適切な値に設定される。
【００３９】
同図に示すように、第１側面板１１の、前述した筒体が形成された状態で第１端面板１５が存在する側には、山折線６１を介してフラップ１１１が、また第１側面板１１の、前述した筒体が形成された状態で第２端面板１６が存在する側には、山折線６２を介してフラップ１１２が、夫々延設されている。また第２側面板１３の、前述した筒体が形成された状態で第１端面板１５が存在する側には、山折線６３を介してフラップ１３１が、また第２側面板１３の、前述した筒体が形成された状態で第２端面板１６が存在する側には、山折線６４を介してフラップ１３２が、夫々延設されている。
【００４０】
正面板１２の、前述した筒体が形成された状態で第１端面板１５が存在する側には、折曲線６５及び折曲線６５に連続する破断線３９を介してフラップ１２１が形成されている。また正面板１２の、前述した筒体が形成された状態で第２端面板１６が存在する側には、折曲線６６を介してフラップ１１３が形成されている。
【００４１】
背面板１４と第１端面板１５との境界には、山折線としても機能する破断線３５が形成されている。また背面板１４と第２端面板１６との境界には、山折線としても機能する破断線３８が形成されている。
【００４２】
第１端面板１５の、背面板１４が連接する側と対向する側には、切込線３６を介して差込部１５１が延設されている。切込線３６は、包装箱１０が再封状態のときは山折線として機能する。
【００４３】
第１端面板１５には、切込線３６の中央付近の所定長さの部分を下底１５３ａとする台形状の領域（以下、台形状部１５２と称する。）が形成されている。台形状部１５２の２つの斜辺１５４ａ，１５４ｂはいずれも切込線に、また台形状部１５２の上底１５３ｂは破断線になっている。
【００４４】
切込線３６の長さは、背面板１４と第１端面板１５との境界を形成する破断線３５よりも短く、それにより差込部１５１と第１端面板１５との境界（切込線３６）の両端には略三角形状の括れが形成されている。
【００４５】
包装箱１０が封緘（封函）状態のとき、差込部１５１は、その裏面が第１端面板１５の裏面と対面するように、切込線３６を山折線として第１端面板１５の裏側に折り畳まれる。そしてこの状態で、差込部１５１の裏面は、第１端面板１５の裏面の台形状部１５２の領域（例えば、図４において符号１５６で示す網掛領域）に塗布された接着剤（ホットメルト等）によって第１端面板１５の裏面に接着されている。これにより包装箱１０が封緘（封函）状態等にあるとき差込部１５１が折り畳まれた状態を確実に保持することができる。
【００４６】
一方、包装箱１０が再封状態のとき、差込部１５１は、切込線３６を山折線として折り曲げられ、正面板１２の裏面に沿って前述した筒体の開口の縁に差し込まれる。
【００４７】
正面板１２とフラップ１２１との境界には、破断線３９（ミシン刃、リード罫等）（但し上記境界の中央部の所定長さ部分については折曲線６５）が形成されている。またフラップ１２１の上記境界の近傍（例えば上記境界から１ｍｍ程度離間した位置）には、折曲線６５と平行に延出する破断線６５ａが形成されている。この破断線６５ａは包装箱１０の廃棄時には包装箱１０の解体を容易にする。また破断線６５ａは山折線としても機能し、後述する押込部１２２の後述する隙間への差し込みを容易にする。
【００４８】
正面板１２の、フラップ１２１が延設されている側の縁部の中央付近には、略矩形状の押込部１２２が形成されている。押込部１２２の周縁には、破断線３９に連続する破断線３９１が形成されている。尚、破断線３９及び破断線３９１の強度は、破断線６５ａの強度よりも弱く設定されている。そのため、後述する包装箱１０の開封に際してユーザが押込部１２２を押し込んだ場合、破断線３９及び破断線３９１が破断するが、破断線６５ａは破断しない。
【００４９】
フラップ１２１の中央付近には、正面板１２とフラップ１２１との境界と平行に破断線４０が形成されている。ユーザは、破断線３９、破断線３９１、及び破断線４０を破断させることで、これらをその周縁の一部とする切離片を包装箱１０から切り出すことができる。上記切離片は、例えば、内容物に関する情報等を情報を表示するタグ（以下、表示片１２５と称する。）として利用することができる。例えば、包装箱１０が医薬品の収納容器として用いられる場合、表示片１２５の表面には、医薬品の名称、種別、有効期限（使用期限）、製造番号、ロット番号、コード等の情報が表示される。
【００５０】
封緘状態において、表示片１２５以外のフラップ１２１の領域（以下、糊代片１２１１と称する。）の裏面は、第１端面板１５の表面の所定領域（以下、糊付面１５５と称する。）に接着剤（ホットメルト等）により接着される。尚、糊代片１２１１の面積は、包装箱１０に要求される強度を確保できる範囲で狭めることができる。また差込部１５１についても、包装箱１０の再封時に前述した筒体の端面を第１端面板１５によって閉じることができる範囲で面積を狭めることができる。これらにより、例えば、より薄型の包装箱１０を実現することができる。
【００５１】
図４に示すように、背面板１４の裏面側には、ブランク５の厚みの一部を残して切り込まれた２つの切込線（切込線５１及び切込線５２）が形成されている。このうち切込線５１は、破断線４１に隣接して当該破断線４１に沿って平行に（その両端部近傍を除く）形成されている。切込線５１は、包装箱１０の強度の低下を防ぐため、その両端部近傍を除き破断線４１から所定距離離間させて設けている。同図に示すように、切込線５１は、その両端部近傍において約４５゜の角度で背面板１４の長尺辺の方向（破断線４１の方向）に屈曲しており、その先端はいずれも背面板１４の角隅部に達している。一方、切込線５２は、破断線４２に隣接して当該破断線４２に沿って平行に（その両端部近傍を除く）形成されている。切込線５２は、包装箱１０の強度の低下を防ぐため、その両端部近傍を除き破断線４２から所定距離離間させて設けている。同図に示すように、切込線５２は、その両端部近傍において約４５゜の角度で背面板１４の長尺辺の方向（破断線４２の方向）に屈曲しており、その先端はいずれも背面板１４の角隅部に達している。
【００５２】
＜包装箱の組み立てと封緘＞
続いて、包装箱１０の組み立てから封緘までの手順について説明する。
【００５３】
図５に示すように、包装箱１０の組み立てに際しては、ブランク５の状態で第１端面板１５の裏面の台形状部１５２の領域に接着剤１５６（ホットメルト等）を塗布し、差込部１５１を切込線３６に沿って山折に折り曲げることにより、差込部１５１の裏面を、予め第１端面板１５の裏面の台形状部１５２の領域と接着しておく。
【００５４】
続いて、第１側面板１１、正面板１２、第２側面板１３、背面板１４、及び接続片１７を折り曲げ、接続片１７と第１側面板１１とを接着して前述した角筒状の筒体を形成する。
【００５５】
続いて、フラップ１１２及びフラップ１３２、フラップ１１３、及び第２端面板１６を、夫々、山折線６２、山折線６４、山折線６６、及び山折線３８に沿って折り曲げて順に重ね、フラップ１１３の表面と第２端面板１６の裏面を接着剤（ホットメルト等）により接着することにより、筒体の一方の端面を閉じる。
【００５６】
続いて、筒体に内容物を充填し、フラップ１１１、フラップ１３１、第１端面板１５、及びフラップ１２１を、夫々、山折線６１、山折線６３、山折線３５、破断線３９及び破断線６５ａに沿って折り曲げてこれらを順に重ね、第１端面板１５の裏面を糊付面１５５に塗布されている接着剤（ホットメルト等）で接着することにより、筒体の他方の端面を閉じる。以上の手順を経ることにより、包装箱１０は図１に示した封緘状態となる。
【００５７】
＜包装箱の開封と再封＞
続いて、包装箱１０を開封し再封するまでの手順について説明する。
【００５８】
包装箱１０の開封に際し、ユーザは、まず図１に示す封緘（封函）状態の包装箱１０に対して押込部１２２を親指等で押し込むことにより破断線３９１を破断させ、続いて、第１端面板１５を引き上げて第１端面板１５の端を破断線３９に沿って正面板１２から切り離す。これによりフラップ１２１も、第１端面板１５と一体となって正面板１２から切り離され、包装箱１０は図２に示す状態となる。ユーザはこの状態で包装箱１０から中身を取り出す。またこの状態でユーザは第１端面板１５の裏面に折り畳まれている差込部１５１を視認可能かつアクセス可能な状態となる。
【００５９】
一方、包装箱１０の再封に際しては、図６Ａに示すように、ユーザは第１端面板１５の表面側から台形状部１５２を指で押し込み、台形状部１５２の上底１５３ｂ部分を切離させる。ここで前述したように、台形状部１５２の裏面は差込部１５１の裏面と接着されているので、上記のように台形状部１５２を指で押し込んで台形状部１５２の上底１５３ｂを切離させると差込部１５１と第１端面板１５との結合が解除され、差込部１５１は切込線３６を折曲線として自由に折り曲げ可能な状態となる。
【００６０】
続いて、押込部１２２が再封時や再度の開封時の妨げにならぬよう、図６Ｂに示すように、ユーザは、押込部１２２を第１端面板１５と差込部１５１との間の切込線３６の中央部の隙間（台形状部１５２の下底１５３ａに相当する部分を含む隙間）に差し込み、押込部１２２を第１端面板１５に固定する。尚、この作業は、押込部１２２を含む表示片１２５を糊代片１２１１から切離して（破断線４０を切離して）タグとして利用する場合には不要となる。ここで前述したように、フラップ１２１の正面板１２との境界の近傍（折曲線６５の近傍）には折曲線６５と平行に延出する破断線６５ａ（山折線）が形成されており、押込部１２２を破断線６５ａに沿って山折にすることにより、押込部１２２の面が差込部１５１の裏面側に僅かにずれる。そのため、ユーザは、押込部１２２の先端の端辺を第１端面板１５と差込部１５１との間の上記隙間に容易に位置決めして上記隙間に押込部１２２をスムーズに差し込むことができる。
【００６１】
続いて、図６Ｃに示すように、ユーザは、差込部１５１を正面板１２の内側に差し込んで前述した筒体の端面を閉じる。図６Ｄに差込部１５１を正面板１２の内側に完全に差し込んだ後の包装箱１０の状態（再封状態）を示す。
【００６２】
以上のように、本実施形態の包装箱１０にあっては、ユーザは、押込部１２２を親指等で押し込み、第１端面板１５を引き上げることで、包装箱１０を容易に開封することができる。また包装箱１０を開封すると、第１端面板１５及び当該第１端面板１５の裏面に折り畳まれている差込部１５１がユーザの目に入るので、ユーザに再封のための差込部の存在を確実に認識させることができる。またユーザは、第１端面板１５の表面側から台形状部１５２（一部領域）を指で押し込むことにより、容易に差込部１５１を差込部１５１と第１端面板１５との境界線をヒンジとして可動可能な状態にするこことができる。また本構造によれば、差込部１５１の折り曲げ時の強度も十分に確保される。
【００６３】
またユーザは、押込部１２２を第１端面板１５と差込部１５１との間の隙間（台形状部１５２の下底１５３ａに相当する部分を含む隙間）に差し込むだけで、容易に押込部１２２を再封時や再度の開封時の妨げにならない状態にすることができる。またこれにより包装箱１０の美観性も確保される。
【００６４】
また本実施形態の包装箱１０によれば、糊代片１２１１の面積や第１端面板１５の面積を小さくすることでより薄型の包装箱１０を実現することができる。
【００６５】
また表示片１２５を糊代片１２１１から切離することで、開封後に不要となった包装箱の要素（表示片１２５）をタグとして利用することもできる。
【００６６】
＜製造から廃棄までの流れ＞
続いて、図７に示すフローチャートとともに、包装箱１０の製造から廃棄（組み立て→箱詰め→封緘（封函）→開封→再封→解体→廃棄）までの流れについて説明する。
【００６７】
包装箱１０の組み立てに際しては、まずカートニングマシン（製函機）等を用い、差込部１５１の裏面の第１端面板１５の裏面の台形状部１５２の領域への接着や、ブランク５の４つの側面板（第１側面板１１、正面板１２、第２側面板１３、及び背面板１４）と接続片１７の折り曲げ等が行われる（Ｓ７１１）。
【００６８】
続いて、接続片１７の表面に接着剤（ホットメルト等）を塗布し、接続片１７の表面を第１側面板１１の裏面に接着する（Ｓ７１２）。尚、例えば、包装箱１０の製造業者は、輸送（運送）効率のよいこの状態のときに包装箱１０を内容物の製造業者に引き渡す。
【００６９】
続いて、カートニングマシン（製函機）等を用いてブランク５を立体的に立ち上げることにより、前述した筒体を形成する（Ｓ７１３）。
【００７０】
続いて、箱詰機等を用いて筒体に包装箱１０の内容物を箱詰めし（Ｓ７１４）、包装箱１０を封緘（封函）する（Ｓ７１５）。
【００７１】
その後、包装箱１０は流通経路等を経てユーザにわたり、ユーザは包装箱１０を開封して内容物を取り出す（Ｓ７１６）。包装箱１０は、必要に応じて、残りの内容物の保管等のために再封され、継続して用いられる（Ｓ７１７）。最終的に使用済みとなった包装箱１０は、以下に示す手順で解体され（Ｓ７１８）、廃棄される（Ｓ７１９）。
【００７２】
＜包装箱の解体＞
前述した包装箱１０の解体に際しては、まず図８に示すように、ユーザは第１端面板１５を指で摘まんで背面板１４を捲り上げ、背面板１４を包装箱１０から引き剥がす。これにより背面板１４が、第１側面板１１、第２側面板１３、及び接続片１７から切り離される。尚、前述したように、２つの切込線（切込線５１及び切込線５２）は、いずれもブランク５の厚みの一部を残して切り込まれており、上記２つの切込線は、ユーザが背面板１４を捲り上げた際、当該背面板１４に層間剥離を誘起させるように作用する。具体的には、上記捲り上げによって、背面板１４の、破断線４１と切込線５１とで囲まれた台形領域、及び破断線４２と切込線５２とで囲まれた台形領域に、夫々層間剥離が生じる。これにより破断線４１及び破断線４２は、ブランク５の厚みの一部を残して切り離され、それによりユーザが背面板１４を、第１側面板１１、第２側面板１３、及び接続片１７から切り離す際に必要とされる力が緩和され、ユーザは手を痛めることなく容易かつ綺麗に包装箱１０を解体することができる。
【００７３】
前述したように、切込線５１は、その両端部近傍において約４５゜の角度で背面板１４の長尺辺の方向（破断線４１の方向）に折れ曲がり、その先端はいずれも背面板１４の角隅部に達している。また切込線５２は、その両端部近傍において約４５゜の角度で背面板１４の長尺辺の方向（破断線４２の方向）に折れ曲がり、その先端はいずれも背面板１４の角隅部に達している。切込線５１及び切込線５２の両端部をこのような形態としていることで、包装箱１０に要求される、端面板（第１端面板１５又は第２端面板１６）と背面板１４との間の接続（連結）強度を確保することができる。また切込線５１及び切込線５２の両端部をこのような形態としていることで、包装箱１０の解体に際してユーザが背面板１４を捲り上げた際、背面板１４に前述した層間剥離をスムーズに誘起させることができる。
【００７４】
図９に、解体後の包装箱１０を畳んだ状態を示している。このように解体後の包装箱１０は、ほぼ扁平な状態に畳むことができる。尚、上記のように、背面板１４が、上記破断線４１及び破断線４２において、第１側面板１１、第２側面板１３、及び接続片１７から切り離されることで、例えば、解体後の包装箱１０の紙片には嵩張りを生じさせるような袋状の構造が残留することもない。
【００７５】
以上、詳細に説明したように、本発明によれば、簡素な構造でありながら要求される機能及び強度を満たした包装箱１０を実現することができる。尚、以上の説明は、本発明の理解を容易にするためのものであり、本発明を限定するものではない。本発明は、その趣旨を逸脱することなく、変更、改良され得ると共に、本発明にはその等価物が含まれる。
【００７６】
例えば、前述した実施形態では、包装箱１０が封緘（封函）状態のとき、差込部１５１の裏面を、第１端面板１５の裏面の台形状部１５２に相当する領域に塗布された接着剤により第１端面板１５の裏面に接着しているが、これとともに、もしくは、これに代えて、差込部１５１の裏面の少なくとも一部を第１端面板１５の裏面を擬似接着（例えば、一方の面には接着剤を、他方の面には剥離剤を塗布して剥離可能な状態で接着）するようにしてもよい。そのようにすることによっても、包装箱１０が封緘（封函）状態のとき、差込部１５１が折り畳まれた状態を確実に保持することができる。
【００７７】
また例えば、本実施形態では背面板１４の２つの辺に破断線４１，４２及び切込線５１，５２を形成しているが、破断線及び切込線は、他の側面板（第１側面板１１、正面板１２、及び第２側面板１３のうちの少なくともいずれか）に形成してもよい。
【符号の説明】
【００７８】
５  ブランク、１０  包装箱、１１  第１側面板、１２  正面板、１２１  フラップ、１２１１  糊代片、１２２  押込部、１２５  表示片、１３  第２側面板、１４  背面板、
１５  第１端面板、１５１  差込部、１５２  台形状部、１５３ｂ  上底、１５３ａ  下底、１５５  接着剤、１５６  接着剤、１５５  糊付面、１６  第２端面板、３６  切込線、３７  山折線、３９  破断線、３９１  破断線、４１，４２  破断線、５１，５２  切込線、６１〜６４  山折線、６５  折曲線、６５ａ  破断線
【図１】
2019011066.tif 000003
【図２】
2019011066.tif 000004
【図３】
2019011066.tif 000005
【図４】
2019011066.tif 000006
【図５】
2019011066.tif 000007
【図６Ａ】
2019011066.tif 000008
【図６Ｂ】
2019011066.tif 000009
【図６Ｃ】
2019011066.tif 000010
【図６Ｄ】
2019011066.tif 000011
【図７】
2019011066.tif 000012
【図８】
2019011066.tif 000013
【図９】
2019011066.tif 000014